(57)【要約】【課題】設置条件に対応した気流制御パターンを容易に設定し得る空気調和装置を提供することにより、室内の快適性及び省エネルギー性を高めることにある。【解決手段】室内機（Ｚ１）には、室内空間の輻射温度を検出する赤外線センサ（１５）及び気流調節手段（５２）が設けられる。気流調節手段（５２）は、吹出空気の上下方向の吹出方向を変更する水平羽根（１３）と幅方向の吹出方向を変更する垂直羽根（１２）と吹出風量を変更する風量羽根（１１）とを備える。記憶手段（５３）には、これら３つの羽根の制御パターンである室内機（Ｚ１）の設置条件に対応した複数の気流制御パターンが記憶される。一方、赤外線センサ（１５）の検知情報は、記憶手段（５３）に記憶される。室内機（Ｚ１）の設置条件を選択すると、複数の気流制御パターンのうち１つのパターンが設定され、赤外線センサ（１５）の検知情報に基づき吹出空気の風向及び風量が制御される。【選択図】  図２
2005016863.tif 000002
【特許請求の範囲】
【請求項１】
本体（６０）の吸込口（３）より室内空気を吸い込み、空気調和した吹出空気を本体（６０）の吹出口（４）より室内に吹き出す室内機（Ｚ１）を備えた空気調和装置であって、
上記本体（６０）に設けられて吹出空気の気流を調節する気流調節手段（５２）と、
上記気流調節手段（５２）を制御するための制御パターンで、且つ室内機（Ｚ１）の設置条件に対応した吹出空気の複数の気流制御パターンが予め記憶された記憶手段（５３）と、
上記記憶手段（５３）の何れかの気流制御パターンを選択して設定するために設置条件が示された設定手段（５４）とを備えていることを特徴とする空気調和装置。
【請求項２】
請求項１に記載の空気調和装置において、
上記気流調節手段（５２）は、吹出空気の上下方向の吹出方向を変更する第１の羽根（１３）と、上下方向に直交する吹出空気の幅方向の吹出方向を変更する第２の羽根（１２）と、吹出空気の吹出風量を変更する第３の羽根（１１）とを備えていることを特徴とする空気調和装置。
【請求項３】
請求項１又は２に記載の空気調和装置において、
室内空間の輻射温度を検出する赤外線センサ（１５）を備え、
上記記憶手段（５３）の気流制御パターンには、赤外線センサ（１５）が検出する輻射温度に基づいて気流調節する気流制御パターンが含まれていることを特徴とする空気調和装置。
【請求項４】
請求項１，２又は３に記載の空気調和装置において、
上記吹出口（４）は、複数形成される一方、
上記記憶手段（５３）の気流制御パターンには、予め設定された特定の吹出口（４）の吹出空気のみ気流調節する気流制御パターンが含まれていることを特徴とする空気調和装置。
【請求項５】
請求項１乃至４の何れかに記載の空気調和装置において、
上記設定手段（５４）は、室内機（Ｚ１）に連繋されたリモコン（４０）又はパソコンに設けられていることを特徴とする空気調和装置。
【発明の詳細な説明】
【０００１】
【発明の属する技術分野】
本発明は、吹出口からの気流の吹出方向を調節して室内の空調を行う空気調和装置に関するものである。
【０００２】
【従来の技術】
従来より、特許文献１に開示されているように、吹出口からの気流の吹出方向を調節して室内の空調を行う空気調和装置が知られている。この空気調和装置は天井埋込型のものであり、吹出口には水平羽根が設けられている。この水平羽根によって、吹出空気の上下方向における吹出しを変更自在に行うことができる。
【０００３】
上記空気調和装置では、水平羽根の作動範囲の設定モードとして、標準モード、ドラフト防止モード及び天井汚れ防止モードが設定されている。この各モードは、それぞれが異なる作動範囲に設定されている。ドラフト防止モードでは、吹出空気の下吹きが禁止される。天井汚れ防止モードでは、吹出空気の上吹きが禁止される。また、各モードは、リモコンによって選択される。
【０００４】
一方、市場には様々な店舗の形態があり、例えばドラフトを防止して不快感を低減する必要性や、天井汚れを防止して室内の清潔感を保つ必要性など、店舗形態に合わせて気流を制御する必要性が高まっている。
【０００５】
このため、上記空気調和装置では、水平羽根を用いて上記の各モードを切り換え、吹出空気の上下方向の吹出方向を変化させることにより、異なった形態を持つ店舗への対応を可能としている。
【０００６】
【特許文献１】
特開平８−１００９４２号公報
【０００７】
【発明が解決しようとする課題】
上記特許文献１に開示される空気調和装置では、３つのモードを切り換えることにより、水平羽根を用いて吹出口から吹き出される気流が制御され、室内空間における上下方向の気流が調節される。
【０００８】
しかしながら、上記空気調和装置を使用して室内の空気調和を行う場合、何れか１つのモードを選択する必要があり、使用者はどのモードが店舗形態に最適であるかが分からないことから、必ずしも最適なモードで運転されていないという問題があった。
【０００９】
本発明は、かかる点に鑑みてなされたものであり、その目的とするところは、設置条件に対応した気流制御パターンを容易に設定し得る空気調和装置を提供することにより、室内の快適性及び省エネルギー性を高めることにある。
【００１０】
【課題を解決するための手段】
請求項１の発明は、本体（６０）の吸込口（３）より室内空気を吸い込み、空気調和した吹出空気を本体（６０）の吹出口（４）より室内に吹き出す室内機（Ｚ１）を備えた空気調和装置を対象としている。そして、上記本体（６０）に設けられて吹出空気の気流を調節する気流調節手段（５２）と、上記気流調節手段（５２）を制御するための制御パターンで、且つ室内機（Ｚ１）の設置条件に対応した吹出空気の複数の気流制御パターンが予め記憶された記憶手段（５３）と、上記記憶手段（５３）の何れかの気流制御パターンを選択して設定するために設置条件が示された設定手段（５４）とを備えていることを特徴とするものである。
【００１１】
請求項２の発明は、請求項１に記載の空気調和装置において、上記気流調節手段（５２）は、吹出空気の上下方向の吹出方向を変更する第１の羽根（１３）と、上下方向に直交する吹出空気の幅方向の吹出方向を変更する第２の羽根（１２）と、吹出空気の吹出風量を変更する第３の羽根（１１）とを備えていることを特徴とするものである。
【００１２】
請求項３の発明は、請求項１又は２に記載の空気調和装置において、室内空間の輻射温度を検出する赤外線センサ（１５）を備え、上記記憶手段（５３）の気流制御パターンには、赤外線センサ（１５）が検出する輻射温度に基づいて気流調節する気流制御パターンが含まれていることを特徴とするものである。
【００１３】
請求項４の発明は、請求項１，２又は３に記載の空気調和装置において、上記吹出口（４）は、複数形成される一方、上記記憶手段（５３）の気流制御パターンには、予め設定された特定の吹出口（４）の吹出空気のみ気流調節する気流制御パターンが含まれていることを特徴とするものである。
【００１４】
請求項５の発明は、請求項１乃至４の何れかに記載の空気調和装置において、上記設定手段（５４）は、室内機（Ｚ１）に連繋されたリモコン（４０）又はパソコンに設けられていることを特徴とするものである。
【００１５】
−作用−
請求項１の発明では、空気調和装置の室内機（Ｚ１）において、本体（６０）の吸込口（３）から本体（６０）の内部へ吸い込まれた室内空気は、調和された後に本体（６０）の吹出口（４）から室内へ吹き出される。上記本体（６０）には、吹出口（４）から吹き出される空気の気流を調節するための気流調節手段（５２）が設けられている。
【００１６】
ここで、例えば飲食店やオフィス、物品販売店など、室内機（Ｚ１）の設置条件が異なる場合には、店舗の広さや店内のレイアウト、並びに人体の位置等が大きく異なるため、それぞれの設置条件に適した気流の制御を行うことが望ましい。この空気調和装置では、室内機（Ｚ１）の設置条件に応じて、その設置条件に適した複数の気流制御パターンを選択できるようになっている。
【００１７】
上記気流制御パターンは、それぞれのパターンにおいて異なった気流調節手段（５２）の調節を行う制御パターンを有している。つまり、気流制御パターンごとに、吹出口（４）からの吹出空気の気流が変更される。この複数の気流制御パターンは、記憶手段（５３）に記憶されている。そして、設置条件が示された設定手段（５４）を用いて設置条件に対応した設定を行うことにより、複数の気流制御パターンのうち設定内容に対応した気流制御パターンが選択される。
【００１８】
請求項２の発明では、気流調節手段（５２）は、吹出空気の吹出方向を変更するための第１の羽根（１３）及び第２の羽根（１２）と、吹出空気の吹出風量を変更するための第３の羽根（１１）とを有している。この第１の羽根（１３）及び第２の羽根（１２）によって、吹出空気の上下方向及び幅方向の気流が調節される。また、第３の羽根（１１）によって、吹出空気の風量が調節される。そして、この発明では、各気流制御パターンにおいて、これら３つの羽根の動作を制御することにより、吹出空気の風向及び風量が調節される。
【００１９】
請求項３の発明では、空気調和装置に赤外線センサ（１５）が設けられる。この赤外線センサ（１５）は、室内空間の輻射温度を検出する。上記赤外線センサ（１５）が検出した情報は、記憶手段（５３）に記憶される。記憶手段（５３）では、この検出した情報が気流制御パターンに制御パターンとして組み込まれる。そして、気流制御パターンによって、赤外線センサ（１５）が検出する輻射温度に基づき気流調節手段（５２）の制御が行われる。
【００２０】
請求項４の発明では、室内機（Ｚ１）の本体（６０）に複数の吹出口（４）が形成される。本体（６０）の吸込口（３）から本体（６０）の内部へ吸い込まれた室内空気は、調和された後に本体（６０）の各吹出口（４）から室内へ吹き出される。
【００２１】
一方、気流制御パターンは、これらの吹出口（４）のうち予め設定された特定の吹出口（４）からのみ空気を吹き出させる制御パターンを有している。この気流を調節したい吹出口（４）を特定することによって、特定した吹出口（４）からの気流が調節される。また、特定された吹出口（４）以外の吹出口（４）では、記憶手段（５３）に記憶された気流制御パターンによって、気流調節手段（５２）の制御が行われる。
【００２２】
請求項５の発明では、設定手段（５４）が室内機（Ｚ１）に連繋されたリモコン（４０）又はパソコンに設けられる。このリモコン（４０）又はパソコンを用いて室内機（Ｚ１）の設置条件に応じた設定を行うことにより、記憶手段（５３）に記憶される複数の気流制御パターンのうち、設定内容に対応した気流制御パターンが選択される。
【００２３】
【発明の実施の形態１】
以下、本発明の実施形態を図面に基づいて詳細に説明する。
【００２４】
図１及び図２に示すように、本実施形態に係る空気調和装置の室内機（Ｚ１）は、本体（６０）が室内の天井（５０）に埋め込まれた状態で設置されている。この本体（６０）は、上側に配置される扁平な直方体形状を有する中空のケーシング（１）と、該ケーシング（１）の下端開口側に室内側から装着される長方形板状の室内パネル（２）とによって構成されている。
【００２５】
上記室内パネル（２）には、その中央部に長方形状の吸込口（３）が設けられている。この吸込口（３）は、室内空気をケーシング（１）内へ吸い込むためのものである。吸込口（３）の周囲には、該吸込口（３）の外縁を形成する各辺と平行に、細長い長方形状の吹出口（４）が４つ設けられている。この吹出口（４）は、ケーシング（１）内で調和した空気を室内空間へ吹き出すためのものである。また、吸込口（３）には、格子状の吸込グリル（８）が装着され、吸込グリル（８）の上側には、吸込口（３）から吸い込まれた室内空気に含まれる塵埃を除去するためのエアフィルタ（９）が設けられている。
【００２６】
上記ケーシング（１）内に設けられる吸込口（３）から各吹出口（４）に至るまでの空気通路（１７）において、ケーシング（１）の中央部付近には、吸込口（３）から吸い込まれた室内空気を各吹出口（４）へ導くための遠心式ファン（６）が設けられている。遠心式ファン（６）の下側には、遠心式ファン（６）へ室内空気を案内するためのベルマウス（７）が設けられている。また、遠心式ファン（６）の下流側、即ち遠心式ファン（６）と各吹出口（４）との間には、熱交換器（５）が配置されている。
【００２７】
上記熱交換器（５）は、図示しない室外機に冷媒配管を介して接続され、冷房運転時には凝縮器として、暖房運転時には凝縮器として機能するように構成されている。この熱交換器（５）は、遠心式ファン（６）を通過した室内空気を冷媒と熱交換させるためのものである。
【００２８】
上記熱交換器（５）の下流側であって各吹出口（４）に至るまでの空気通路（１７）には、吹出流路（１４）が設けられている。この吹出流路（１４）は、その断面形状が長方形であって、ケーシング（１）の上下方向に設けられている。また、吹出流路（１４）は、その下端が各吹出口（４）に連通すると共に、空気通路（１７）の下流側部位を構成している。
【００２９】
上記吹出流路（１４）には、第１の羽根である水平羽根（１３）と、第２の羽根である垂直羽根（１２）と、風量分配機構（１０）とが設けられている。風量分配機構（１０）には、第３の羽根である風量羽根（１１）が設けられている。そして、水平羽根（１３）と垂直羽根（１２）と風量羽根（１１）とは、気流調節手段（５２）を構成している。
【００３０】
上記風量分配機構（１０）は、上記各吹出口（４）からの吹出空気の風量を増減調整することで上記各吹出口（４）の相互間の風量分配比率を調整するためのものである。図２〜図４に示すように、上記風量分配機構（１０）は、上記吹出流路（１４）をその短辺方向に挟んでその長辺側の両側壁寄りにそれぞれ配置された左右一対の風量羽根（１１）を備えている。
【００３１】
この風量羽根（１１）の具体的構造は、図３及び図４に示す通りである。即ち、上記一対の風量羽根（１１）は、その一端が上記吹出流路（１４）の側壁に沿って上下方向に形成されたガイド溝（２５）に係入させることで該ガイド溝（２５）に沿って上下方向へ移動自在となっている。一方、風量羽根（１１）の他端は、モータ（２９）により回転駆動されるギヤ（２８）にその軸心を挟んでその径方向両側からそれぞれ噛合された一対のラック杆（２７）の端部に連結されている。
【００３２】
上記風量分配機構（１０）は、モータ（２９）によって上記ギヤ（２８）が正逆両方向に選択的に回転されると、これに噛合した上記一対のラック杆（２７）が相互に逆方向へ移動し、この一対のラック杆（２７）の相反方向への移動に伴って上記一対の風量羽根（１１）はそれぞれその傾動角度を変化させながら上下方向へ移動し、上記吹出流路（１４）の中央側への延出量が増減変化されることで該吹出流路（１４）の開口面積を増減させる如く作用する。
【００３３】
即ち、上記風量分配機構（１０）においては、上記吹出流路（１４）の開口面積を拡大させた状態（大風量設定時）では、上記一対の風量羽根（１１）が共に直立に近い姿勢で該吹出流路（１４）の側壁寄りに収納される状態となり、上記吹出流路（１４）の中央側への延出量が小さくなる一方、上記吹出流路（１４）の開口面積を縮小させた状態（小風量設定時）では、上記一対の風量羽根（１１）が共に水平に近い姿勢となり、該吹出流路（１４）の中央寄りへの延出量が大きくなる。また、上記風量分配機構（１０）は、各吹出口（４）のそれぞれに設けられており、これらの風量分配機構（１０）は、それぞれが独立して個別に作動制御される。
【００３４】
上記垂直羽根（１２）は、吹出空気の幅方向の吹出方向を変更するためのものである。図２及び図４に示すように、この垂直羽根（１２）は、吹出流路（１４）の流路断面形状に合致するような外形形状をもつプレート体で形成されている。垂直羽根（１２）は、吹出流路（１４）を横断するように垂直羽根（１２）の上端部と吹出流路（１４）の一方の側壁とに接続される支軸（２３）によって支持されている。また、垂直羽根（１２）は、吹出流路（１４）において、吹出口（４）の長辺方向に所定間隔で複数設けられている。
【００３５】
上記垂直羽根（１２）は、これらを相互に連結するリンクバー（２４）を介してモータ（３０）により駆動され、その傾斜角度を変更することにより吹出空気の上下方向と直交する幅方向の吹出方向が調節される。また、垂直羽根（１２）は、必要に応じて傾斜角度を連続的に増減変化できるスイング動作を行うことができるようになっている。この垂直羽根（１２）は、各吹出口（４）のそれぞれに配置され、制御部（１８）によって独立又は連動して作動制御される。
【００３６】
上記水平羽根（１３）は、吹出空気の上下方向の吹出方向を変更するためのものである。図２に示すように、この水平羽根（１３）は、湾曲した断面形状をもつ帯板材により形成され、各吹出流路（１４）の下流側部位における吹出口（４）に近接した場所にそれぞれ設けられている。また、水平羽根（１３）は、各吹出口（４）の長辺と平行に設けられ、その長さが各吸込口（４）の長辺の長さと概ね等しくなっている。そして、水平羽根（１３）は、その上端付近を中心として傾斜角度を変更することにより、吹出空気の上下方向の吹出方向を調節可能とすると共に、必要に応じて傾斜角度を連続的に増減変化させるスイング動作を行うことができるようになっている。
【００３７】
上記各吹出口（４）に設けられる水平羽根（１３）の駆動方式としては、個別方式と連動方式とが考えられる。個別方式とは、図５に示すように、上記各水平羽根（１３）をそれぞれ専用のモータ（３１）によって個別に駆動させる方式である。これに対して、連動方式とは、図６に示すように、上記各水平羽根（１３）を相互に連動部材（３２）を用いて連結し、これら各水平羽根（１３）を単一のモータ（３１）によって駆動する方式である。
【００３８】
図１及び図２に示すように、上記室内パネル（２）に形成される４つの隅角部のうちの１ヶ所には、赤外線センサ（１５）が設けられている。また、吹出流路（１４）の近傍には、上記赤外線センサ（１５）からの検知情報を受けて水平羽根（１３）と垂直羽根（１２）と風量羽根（１１）の作動制御を行う制御部（１８）が設けられている。
【００３９】
上記赤外線センサ（１５）は、室内空間の壁面、床面あるいは人体等の躯体の輻射温度を検知し、これを室内温度として制御部（１８）に出力すると共に、高輻射温度部位を人体位置に関する情報として制御部（１８）に出力するものである。この赤外線センサ（１５）は、走査機構（２０）を介して取り付けられている。走査機構（２０）は、赤外線センサ（１５）を上記室内パネル（２）に取り付けられたセンサ取付穴（１９）に挿入した状態でケーシング（１）側に支持されている。この走査機構（２０）は、上記赤外線センサ（１５）を水平軸を持つ第１モータ（２１）によって往復揺動させつつ、垂直軸を持つ第２モータ（２２）によって旋回させるように構成されている。
【００４０】
ここで、上記赤外線センサ（１５）としては、例えば検知対象範囲の全域を一体的に検知する単素子型センサ、検知対象範囲を一方向に分割して各分割領域毎に検知を行う一次元アレイ素子型センサ、或いは検知対象範囲を直交する二方向に分割して各分割領域毎に検知を行う二次元アレイ素子型センサ等が好適である。
【００４１】
上記本体（６０）の制御部（１８）には、室内機（Ｚ１）の設置条件に対応した複数の気流制御パターンが記憶される記憶手段（５３）が設けられている。この記憶手段（５３）は、各気流制御パターンを構成するための制御パターンである水平羽根（１３）と垂直羽根（１２）と風量羽根（１１）の制御を記憶している。また、上記記憶手段（５３）の各気流制御パターンにおいて、水平羽根（１３）と垂直羽根（１２）と風量羽根（１１）の動作は、赤外線センサ（１５）から出力された検知情報に基づいて制御される。
【００４２】
上記記憶手段（５３）には、上記水平羽根（１３）の制御モードとして、標準モードとドラフト防止モードと天井汚れ防止モードとが記憶されている。この標準モードは、最も一般的なモードであって、天井（５０）を水平面として３０〜６５度の範囲で水平羽根（１３）の角度が調節される。ドラフト防止モードは、吹出空気の下吹きを抑制するためのモードであって、天井（５０）を水平面として３０〜５５度の範囲で水平羽根（１３）の角度が調節される。天井汚れ防止モードは、吹出空気の上吹きを抑制するためのモードであって、天井（５０）を水平面として４０〜６５度の範囲で水平羽根（１３）の角度が調節される。
【００４３】
また、上記記憶手段（５３）には、ドラフト防止モード及び天井汚れ防止モードにおいて、水平羽根（１３）の角度を一定に固定する固定モード及び作動範囲を一定の速度で往復し続けるスイングモードが記憶されている。
【００４４】
更に、上記記憶手段（５３）には、赤外線センサ（１５）の検知情報に基づき、標準モード又はドラフト防止モードにより、人体を検知した時には水平羽根（１３）の角度を一定に固定すると共に人を検知していない時には水平羽根（１３）をスイングさせるモードが記憶されている。
【００４５】
上記記憶手段（５３）には、垂直羽根（１２）の制御モードとして、垂直羽根（１２）が一定の速度で作動範囲（幅方向に４５度ずつ）を往復し続けるスイングモードが記憶されている。
【００４６】
また、上記記憶手段（５３）には、赤外線センサ（１５）の検出情報に基づき、人体を検知した時には垂直羽根（１２）を人体の方向にスイングすると共に人体を検知していない時には垂直羽根（１２）を中央に固定する第１検知モードと、人体を検知した時には垂直羽根（１２）を人体を避けた位置に固定すると共に人体を検知していない時には垂直羽根（１２）を小スイング（幅方向に２０度ずつ）させる第２検知モードとが記憶されている。
【００４７】
上記記憶手段（５３）には、上記風量羽根（１１）の制御モードとして、赤外線センサ（１５）の検出情報に基づき、室内の輻射温度分布に応じて風量羽根（１１）を調節する第１風量モードと、人体を検知した時には風量羽根（１１）を風量が増加するように調節すると共に人体を検知していない時には風量羽根（１１）を風量が減少するように調節する第２風量モードと、人体を検知した時には風量羽根（１１）を風量が減少するように調節すると共に人体を検知していない時には風量羽根（１１）を風量が増加するように調節する第３風量モードとが記憶されている。
【００４８】
上記気流制御パターンは、室内機（Ｚ１）の設置条件によって異なり、本実施形態では、以下の６パターンが設定されている。第１パターンは、オフィスや会議室などを対象とする。第２パターンは、ファミリーレストランやファーストフード店、喫茶店などを対象とする。第３パターンは、ラーメン店やうどん店、牛丼店などを対象とする。第４パターンは、居酒屋などを対象とする。第５パターンは、コンビニエンスストアやこれと同程度の店舗面積を有する物品販売店などを対象とする。第６パターンは、スーパーマーケットやこれと同程度の店舗面積を有する物品販売店などを対象とする。
【００４９】
尚、上記記憶手段（５３）に記憶されている水平羽根（１３）と垂直羽根（１２）と風量羽根（１１）の各制御モードを組み合わせることによって、複数の気流制御パターンである上記第１〜第６パターンが構成される。
【００５０】
上記気流制御パターンは、本体（６０）に連繋されたリモコン（４０）に設けられて各気流制御パターンに１対１に対応する設定手段（５４）としての６種類のボタン（４２ａ，４２ｂ，…）を選択することにより設定される。つまり、リモコン（４０）には、室内機（Ｚ１）の設置条件を示す６種類のボタン（４２ａ，４２ｂ，…）が設けられている。上記ボタン（４２ａ，４２ｂ，…）のうち何れか１つを選択すると、この情報である選択信号が制御部（１８）へ送られる。制御部（１８）では、リモコン（４０）から送信された情報に基づき、記憶手段（５３）が記憶する複数の気流制御パターンのうち１つのパターンが設定され、この設定された気流制御パターンに対応して予め設定された水平羽根（１３）と垂直羽根（１２）と風量羽根（１１）の各制御のモードが行われる。
【００５１】
図９に示すように、上記リモコン（４０）は、中央部に液晶表示部（４１ａ）を備えた本体部分（４１）と、該リモコン（４０）の本体部分（４１）の下縁側にヒンジにより開閉自在に連結され、内面に複数のボタン（４２ａ，４２ｂ，…）を備えた蓋部分（４２）とによって構成されている。本体部分（４１）の液晶表示部（４１ａ）の上側には、運転ボタン（４１ｂ）が設けられている。蓋部分（４２）には、運転切換ボタン（４２ｇ）及び室内機（Ｚ１）の設置条件が示された第１ボタン（４２ａ）から第６ボタン（４２ｆ）までの６種類のボタン（４２ａ，４２ｂ，…）が設けられ、これらのボタン（４２ａ，４２ｂ，…）にはそれぞれ１〜６の数字が記されている。また、液晶表示部（４１ａ）には、現在の運転モードが表示されるようになっている。
【００５２】
上記リモコン（４０）の蓋部分（４２）に設けられる室内機（Ｚ１）の設置条件が示された６種類のボタン（４１ａ，４２ｂ，…）は、上記の６種類の気流制御パターンに対応するものである。具体的に、上記気流制御パターンの第１パターンに対応する第１ボタン（４２ａ）、第２パターンに対応する第２ボタン（４２ｂ）、第３パターンに対応する第３ボタン（４２ｃ）、第４パターンに対応する第４ボタン（４２ｄ）、第５パターンに対応する第５ボタン（４２ｅ）、そして第６パターンに対応する第６ボタン（４２ｆ）が蓋部分（４２）に設けられている。
【００５３】
上記記憶手段（５３）は、上記赤外線センサ（１５）が検知する室内空間の壁面、床面あるいは人体等の躯体の輻射温度に関する情報、及び赤外線センサ（１５）が検知する高輻射温度部位を人体位置に関する情報として記憶している。
【００５４】
この人体位置を検出する方法として、上記赤外線センサ（１５）は、一定時間おきに空調対象空間のセンシングを行う。センシングにおいて、前回測定した輻射温度から２〜３度温度が上昇している部位のうち人体の温度に近い３０度前後である部分については、赤外線センサ（１５）が人体位置に関する情報として認識する。また、この人体と認識された部位の温度が、後の数回のセンシングにおいて継続して概ね変化しない場合には、人体位置に関する情報が記憶手段（５３）に記憶され、各気流制御パターンに組み込まれる。
【００５５】
具体的に、上記記憶手段（５３）には、赤外線センサ（１５）の初回のセンシングで人体と認識された部位の温度が次回のセンシングにおいて概ね変化しない場合にその部位には人が存在するものと見なして気流制御パターンに組み込む短時間モードと、初回のセンシングで人体と認識された部位の温度が後の２回のセンシングにおいて継続して概ね変化しない場合にその部位には人が存在するものと見なして気流制御パターンに組み込む標準モードと、初回のセンシングで人体と認識された部位の温度が後の３回のセンシングにおいて継続して概ね変化しない場合にその部位には人が存在するものと見なして気流制御パターンに組み込む安全モードとが記憶されている。
【００５６】
図７及び図８に示すように、上記赤外線センサ（１５）によって室内の輻射温度と温度分布とを検知するに際して、室内空間、即ち上記赤外線センサ（１５）の検知対象空間は、上記各吹出口（４）が配置された位置に対応するように室内機（Ｚ１）を中心として放射状に４つのエリアに仮想区画されている。赤外線センサ（１５）は、各エリア毎にそれぞれ輻射温度及び人体位置を検知し、これらの検知情報を制御部（１８）へ出力する。
【００５７】
また、上記赤外線センサ（１５）は、空調対象空間のセンシングに際して、運転空調モードを温度均一化モードとスポットモードとの間で自動的に切り換えるようにしている。
【００５８】
上記温度均一化モードは、室内の空調対象空間の温度を均一化する空調モードである。具体的に、図７に示すように、空調対象空間は、エリア１とエリア２とエリア３とエリア４とに４等分される。この場合において、各エリアには、人が同人数づつ（ここでは２人ずつ）存在していると想定する。つまり、各エリアにおける人体からの輻射熱による熱負荷は同等程度である。また、エリア１とエリア２では、高輻射部である窓があり、外部からは窓を介して輻射熱が侵入する。このため、エリア１とエリア２には、吹出空気を水平方向に広角で且つ大風量で吹き出す一方、エリア３とエリア４には吹出空気を水平方向に夾角で且つ小風量で吹き出す制御が行われる。この制御によって、空調対象空間全体の温度が均一化される。
【００５９】
これに対して、スポットモードは、室内の空調対象空間に存在する人の周囲を集中的に空調し、人のいない部分に対する空調を回避する空調モードである。具体的に、図８に示すように、エリア１〜４のうち、エリア１には１人、エリア２には２人の人が存在し、エリア３とエリア４には人が存在していない場合を想定する。この場合において、エリア１に対しては人の周囲に向けて夾角で且つ大風量で吹出空気が吹き出し、エリア２に対しては広角で且つ大風量で吹出空気が吹き出す一方、エリア３とエリア４に対しては共に小風量で吹出空気が吹き出す制御が行われる。この制御によって、空調対象空間における人が存在する空間の温度が均一化される。
【００６０】
−運転動作−
上記空気調和装置の運転動作について説明する。
【００６１】
まず、室内機（Ｚ１）の本体（６０）に連繋されたリモコン（４０）に設けられる運転ボタン（４１ｂ）を押すと、空気調和装置の運転が開始される。次に、リモコン（４０）に設けられる運転切換ボタン（４２ｇ）により、冷房運転或いは暖房運転のどちらかを選択する。これにより、本体（６０）の遠心式ファン（６）が運転され、吸込口（３）からケーシング（１）内の空気通路（１７）へ室内空気が吸い込まれる。ケーシング（１）内に吸い込まれた室内空気は、エアフィルタ（９）、ベルマウス（７）及び遠心式ファン（６）を経て、熱交換器（５）へと送り込まれる。熱交換器（５）では、冷房運転時において室内空気が冷媒との熱交換により冷却され、暖房運転時において室内空気が冷媒との熱交換により加熱される。熱交換器（５）を通過した調和された後の空気は、吹出流路（１４）から各吹出口（４）を通って室内空間へ吹き出される。
【００６２】
更に、リモコン（４０）に設けられる室内機（Ｚ１）の設置条件が示された第１〜第６ボタン（４２ａ，４２ｂ，…）のうち何れか１つのボタンを押すと、赤外線センサ（１５）による空調対象空間のセンシングが開始され、各エリア毎の輻射温度が検出される。この輻射温度の検出値に基づいて空調対象空間全体の輻射温度分布が検出されると共に、各エリアにおける人体位置が検出される。そして、各エリアのそれぞれに人が存在していると判断された場合には温度均一化モードが設定される一方、全エリアのうちの何れか１つのエリアでも人の存在しないエリアがあると判断される場合にはスポットモードがそれぞれ自動的に設定される。
【００６３】
ここで、冷房運転時或いは暖房運転時において、リモコン（４０）に設けられる第１〜第６ボタン（４２ａ，４２ｂ，…）のそれぞれを選択した時における空調対象空間の気流制御パターンについて説明する。
【００６４】
リモコン（４０）で第１ボタン（４２ａ）を選択すると、この情報である選択信号が制御部（１８）へ送信される。制御部（１８）では、記憶手段（５３）が記憶する６つの気流制御パターンの中から第１ボタン（４２ａ）に対応する制御パターンである第１パターンが選択される。制御部（１８）は、この第１パターンにより赤外線センサ（１５）の検知情報に基づいて水平羽根（１３）と垂直羽根（１２）と風量羽根（１１）の動作を制御する。尚、リモコン（４０）による気流制御パターンの設定方法は、第２〜第６パターン（４２ｂ，４２ｃ，…）のそれぞれについても同じである。
【００６５】
（第１パターン）
第１パターンは、オフィスや会議室等を対象とする気流制御パターンである。この形態の店舗では、人が長時間同じ場所に着席した状態で店内に滞在する傾向が強い。このため、ドラフト感を防止するために水平吹きを優先すると共に、書類の飛散防止等のために下吹きを回避するよう気流が制御される。また、ＯＡ機器から発生する熱で室内が暖められるため、暖房運転時において、下吹き頻度を減らすよう気流が制御される。
【００６６】
冷房運転時において、赤外線センサ（１５）の検知情報に基づき温度均一化モードになると、水平羽根（１３）がドラフト防止モードに設定されてその角度が３０度に固定される。垂直羽根（１２）は、全方向にスイング動作を行う。また、風量羽根（１１）は、赤外線センサ（１５）の検知情報に基づき、空調対象空間の輻射温度分布に対応した風量が供給されるように調節される。
【００６７】
一方、冷房運転時において、赤外線センサ（１５）の検知情報に基づきスポットモードになると、水平羽根（１３）がドラフト防止モードに設定されてその角度が３０度に固定される。垂直羽根（１２）は、赤外線センサ（１５）の検知情報に基づき、人体が検知された時には人体の方向にスイング動作を行うと共に人体が検知されていない時には中央に固定される。また、風量羽根（１０）は、赤外線センサ（１５）の検知情報に基づき、人体が検知された時には風量が増加するように調節されると共に人体が検知されていない時には風量が減少するように調節される。
【００６８】
暖房運転時において、赤外線センサ（１５）の検知情報に基づき温度均一化モードになると、水平羽根（１３）がドラフト防止モードに設定されてその角度が３０度に固定される。垂直羽根（１２）は、全方向にスイング動作を行う。また、風量羽根（１１）は、赤外線センサ（１５）の検知情報に基づき、空調対象空間の輻射温度分布に対応した風量が供給されるように調節される。
【００６９】
一方、暖房運転時において、赤外線センサ（１５）の検知情報に基づきスポットモードになると、水平羽根（１３）がドラフト防止モードに設定される。その上で、水平羽根（１３）は、赤外線センサ（１５）の検知情報に基づき、人体が検知された時には３０度に固定されると共に人体が検出されていない時にはスイング動作を行う。垂直羽根（１２）は、赤外線センサ（１５）の検知情報に基づき、人体が検知された時には人体を避けた位置に固定されると共に人体が検知されていない時には小スイング動作を行う。また、風量羽根（１１）は、赤外線センサ（１５）の検知情報に基づき、人体が検知された時には風量が減少するように調節されると共に人体が検知されていない時には風量が増加するように調節される。
【００７０】
上記第１パターンでは、赤外線センサ（１５）が人体の位置を検出するモードが、安全モードとなる。この形態の店舗では、人が着席した状態で長時間同じ場所に滞在する傾向が強い。このため、赤外線センサ（１５）が誤動作を生じた場合に、赤外線センサ（１５）が人が存在する部位を人が存在しない部位と誤認し、その結果人が存在する方向に気流が向けられることを確実に防止する。
【００７１】
また、第１パターンにおける空調対象空間の内部負荷について、赤外線センサ（１５）が検出する輻射温度のうち人体に近い温度を有する部位（例えばパソコンのディスプレイやコピー機等）に対しては、人体と区別するのが困難であるため、その方向に気流を向けないように制御される。また、赤外線センサ（１５）が検出する輻射温度のうち高低温部については負荷と見なし、その方向に気流を向けるように制御される。
【００７２】
更に、第１パターンにおける吹出空気の温度について、温度均一化モードでは、赤外線センサ（１５）によって検知される空調対象空間の輻射温度に対し、予め設定された温度（冷房運転時は２４度、暖房運転時は２２度程度）に保持される。一方、スポットモードでは、赤外線センサ（１５）によって検知される空調対象空間の輻射温度に対し、吹出空気が室内の負荷レベルに対応した温度に設定される。つまり、室内の負荷レベルが小さいときには自動的に吹出空気の温度が予め設定された温度よりも上がり、室内の負荷レベルが大きいときには自動的に吹出空気の温度が予め設定された温度よりも下がるように調節される。尚、温度均一化モード及びスポットモードにおける吹出空気の温度の設定方法については、第２〜第６パターンのそれぞれについても同じである。
【００７３】
（第２パターン）
第２パターンは、ファミリーレストランやファーストフード店、喫茶店等を対象とする気流制御パターンである。この形態の店舗では、概ね１時間前後人が同じ場所に着席した状態で店内に滞在する傾向が強い。このため、ドラフト感を防止するために水平吹きを優先し、落ち着いた店内環境を形成するよう気流が制御される。
【００７４】
冷房運転時において、赤外線センサ（１５）の検知情報に基づき温度均一化モードになると、水平羽根（１３）がドラフト防止モードに設定されてその角度が３０度に固定される。垂直羽根（１２）は、全方向にスイング動作を行う。また、風量羽根（１１）は、赤外線センサ（１５）の検知情報に基づき、空調対象空間の輻射温度分布に対応した風量が供給されるように調節される。
【００７５】
一方、冷房運転時において、赤外線センサ（１５）の検知情報に基づきスポットモードになると、水平羽根（１３）がドラフト防止モードに設定されてその角度が３０度に固定される。垂直羽根（１２）は、赤外線センサ（１５）の検知情報に基づき、人体が検知された時には人体の方向にスイング動作を行うと共に人体が検知されていない時には中央に固定される。また、風量羽根（１１）は、赤外線センサ（１５）の検知情報に基づき、人体が検知された時には風量が増加するように調節されると共に人体が検知されていない時には風量が減少するように調節される。
【００７６】
暖房運転時において、赤外線センサ（１５）の検知情報に基づき温度均一化モードになると、水平羽根（１３）がドラフト防止モードに設定されてその角度が３０度に固定される。垂直羽根（１２）は、全方向にスイング動作を行う。また、風量羽根（１１）は、赤外線センサ（１５）の検知情報に基づき、空調対象空間の輻射温度分布に対応した風量が供給されるように調節される。
【００７７】
一方、暖房運転時において、赤外線センサ（１５）の検知情報に基づきスポットモードになると、水平羽根（１３）がドラフト防止モードに設定される。その上で、水平羽根（１３）は、赤外線センサ（１５）の検知情報に基づき、人体が検知された時には３０度に固定されると共に人体が検出されていない時にはスイング動作を行う。垂直羽根（１２）は、赤外線センサ（１５）の検知情報に基づき、人体が検知された時には人体を避けた位置に固定されると共に人体が検知されていない時には小スイング動作を行う。また、風量羽根（１１）は、赤外線センサ（１５）の検知情報に基づき、人体が検知された時には風量が減少するように調節されると共に人体が検知されていない時には風量が増加するように調節される。
【００７８】
上記第２パターンでは、赤外線センサ（１５）が人体の位置を検出するモードが、安全モードとなる。この形態の店舗では、人が着席した状態で１時間前後同じ場所に滞在する傾向が強い。このため、赤外線センサ（１５）が誤動作を生じた場合に、赤外線センサ（１５）が人が存在する部位を人が存在しない部位と誤認し、その結果人が存在する方向に気流が向けられることを確実に防止する。
【００７９】
また、第２パターンにおける空調対象空間の内部負荷について、赤外線センサ（１５）が検出する輻射温度のうち人体に近い温度を有する部位に対しては、人体と区別するのが困難であるため、その方向に気流を向けないように制御される。また、赤外線センサ（１５）が検出する輻射温度のうち高低温部については料理と見なし、その方向に気流を向けないように制御される。
【００８０】
（第３パターン）
第３パターンは、ラーメン店やうどん店、牛丼店等を対象とする気流制御パターンである。この形態の店舗では、１０〜２０分前後、人が同じ場所に着席した状態で店内に滞在する傾向が強い。また、店内は温度及び湿度が高く、天井汚れが発生する可能性が高い。このため、冷房運転時においては下吹きを優先し、ドラフト感を与えるように気流が制御される。また、暖房運転時においては、下吹き頻度を減らすよう気流が制御される。
【００８１】
冷房運転時において、赤外線センサ（１５）の検知情報に基づき温度均一化モードになると、水平羽根（１３）が天井汚れ防止モードに設定されてスイング動作を行う。垂直羽根（１２）は、全方向にスイング動作を行う。また、風量羽根（１１）は、赤外線センサ（１５）の検知情報に基づき、空調対象空間の輻射温度分布に対応した風量が供給されるように調節される。
【００８２】
一方、冷房運転時において、赤外線センサ（１５）の検知情報に基づきスポットモードになると、水平羽根（１３）が天井汚れ防止モードに設定されてその角度が３０度に固定される。垂直羽根（１２）は、赤外線センサ（１５）の検知情報に基づき、人体が検知された時には人体の方向にスイング動作を行うと共に人体が検知されていない時には中央に固定される。また、風量羽根（１１）は、赤外線センサ（１５）の検知情報に基づき、人体が検知された時には風量が増加するように調節されると共に人体が検知されていない時には風量が減少するように調節される。
【００８３】
暖房運転時において、赤外線センサ（１５）の検知情報に基づき温度均一化モードになると、水平羽根（１３）がドラフト防止モードに設定されてその角度が３０度に固定される。垂直羽根（１２）は、全方向にスイング動作を行う。また、風量羽根（１１）は、赤外線センサ（１５）の検知情報に基づき、空調対象空間の輻射温度分布に対応した風量が供給されるように調節される。
【００８４】
一方、暖房運転時において、赤外線センサ（１５）の検知情報に基づきスポットモードになると、水平羽根（１３）がドラフト防止モードに設定される。その上で、水平羽根（１３）は、赤外線センサ（１５）の検知情報に基づき、人体が検知された時には３０度に固定されると共に人体が検出されていない時にはスイング動作を行う。垂直羽根（１２）は、赤外線センサ（１５）の検知情報に基づき、人体が検知された時には人体を避けた位置に固定されると共に人体が検知されていない時には小スイング動作を行う。また、風量羽根（１１）は、赤外線センサ（１５）の検知情報に基づき、人体が検知された時には風量が減少するように調節されると共に人体が検知されていない時には風量が増加するように調節される。
【００８５】
上記第３パターンでは、赤外線センサ（１５）が人体の位置を検出するモードが、冷房運転時に標準モードとなり、暖房運転時に安全モードとなる。この形態の店舗では、店内の温度及び湿度が高く、特に暖房運転時において、赤外線センサ（１５）が誤動作を生じた場合に、赤外線センサ（１５）が人が存在する部位を人が存在しない部位と誤認し、その結果人が存在する方向に気流が向けられて人体付近の温度が上昇することを防止する。
【００８６】
また、第３パターンにおける空調対象空間の内部負荷について、赤外線センサ（１５）が検出する輻射温度のうち人体に近い温度を有する部位に対しては、人体と区別するのが困難であるため、その方向に気流を向けないように制御される。また、赤外線センサ（１５）が検出する輻射温度のうち高低温部については料理と見なし、その方向に気流を向けないように制御される。
【００８７】
（第４パターン）
第４パターンは、居酒屋等を対象とする気流制御パターンである。この形態の店舗では、６０〜１２０分程度、人が同じ場所に着席した状態で店内に滞在する傾向が強い。また、店内は狭く、柱や仕切り等の障害物が多い。このため、温度均一化モードのみの気流の制御が行われる。また、冷房運転時においては、下吹きを優先し、ドラフト感を与えるように気流が制御される。暖房運転時には、下吹き頻度を減らすよう気流が制御される。
【００８８】
冷房運転時において、水平羽根（１３）は、天井汚れ防止モードに設定されてスイング動作を行う。垂直羽根（１２）は、全方向にスイング動作を行う。また、風量羽根（１１）は、赤外線センサ（１５）の検知情報に基づき、空調対象空間の輻射温度分布に対応した風量が供給されるように調節される。
【００８９】
暖房運転時において、水平羽根（１３）は、ドラフト防止モードに設定されてその角度が３０度に固定される。垂直羽根（１２）は、全方向にスイング動作を行う。また、風量羽根（１１）は、赤外線センサ（１５）の検知情報に基づき、空調対象空間の輻射温度分布に対応した風量が供給されるように調節される。
【００９０】
上記第４パターンでは、赤外線センサ（１５）が人体の位置を検出するモードが、標準モードとなる。
【００９１】
また、第４パターンにおける空調対象空間の内部負荷について、赤外線センサ（１５）が検出する輻射温度のうち人体に近い温度を有する部位に対しては、人体と区別するのが困難であるため、その方向に気流を向けないように制御される。また、赤外線センサ（１５）が検出する輻射温度のうち高低温部については料理と見なし、その方向に気流を向けないように制御される。
【００９２】
（第５パターン）
第５パターンは、コンビニエンスストアやこれと同程度の店舗面積を有する物品販売店等を対象とする気流制御パターンである。この形態の店舗では、５〜１０分程度、人が移動しながら店内に滞在する傾向が強い。このため、スポットモードのみの気流の制御が行われる。また、従業員のいるレジ付近へ気流を優先的に向ける一方、ショーケースへの気流を回避するよう気流が制御される。
【００９３】
冷房運転時において、水平羽根（１３）は、標準モードに設定される。その上で、水平羽根（１３）は、赤外線センサ（１５）の検知情報に基づき、人体が検知された時にはその角度が３０度に固定されると共に人体が検知されていない時にはスイング動作を行う。垂直羽根（１２）は、赤外線センサ（１５）の検知情報に基づき、人体が検知された時には人体の方向にスイング動作を行うと共に人体が検知されていない時には中央に固定される。また、風量羽根（１１）は、赤外線センサ（１５）の検知情報に基づき、人体が検知された時には風量が増加するように調節されると共に人体が検知されていない時には風量が減少するように調節される。
【００９４】
暖房運転時において、水平羽根（１３）は、標準モードに設定される。その上で、水平羽根（１３）は、赤外線センサ（１５）の検知情報に基づき、人体が検知された時には３０度に固定されると共に人体が検出されていない時にはスイング動作を行う。垂直羽根（１２）は、赤外線センサ（１５）の検知情報に基づき、人体が検知された時には人体を避けた位置に固定されると共に人体が検知されていない時には小スイング動作を行う。また、風量羽根（１１）は、赤外線センサ（１５）の検知情報に基づき、人体が検知された時には風量が減少するように調節されると共に人体が検知されていない時には風量が増加するように調節される。
【００９５】
上記第５パターンでは、赤外線センサ（１５）が人体の位置を検出するモードが、短時間モードとなる。これは、人が立った状態で店内を移動するため、短時間に人体の位置を検出できるようにするためである。
【００９６】
また、第５パターンにおける空調対象空間の内部負荷について、赤外線センサ（１５）が検出する輻射温度のうち低温部についてはショーケースと見なし、その方向に気流を向けないように制御される。また、赤外線センサ（１５）が検出する輻射温度のうち高温部についてはおでん或いは保温機器と見なし、その方向に気流を向けないように制御される。
【００９７】
（第６パターン）
第６パターンは、スーパーマーケットやこれと同程度の店舗面積を有する物品販売店等を対象とする気流制御パターンである。この形態の店舗では、１０〜３０分程度、人が移動しながら店内に滞在する傾向が強い。このため、スポットモードのみの気流の制御が行われる。また、この形態の店舗では、天井が高いために下吹きを優先すると共に、特に冷房運転時にはドラフト感を与えるよう気流が制御される。
【００９８】
冷房運転時において、水平羽根（１３）は、天井汚れ防止モードに設定されてスイング動作を行う。垂直羽根（１２）は、赤外線センサ（１５）の検知情報に基づき、人体が検知された時には人体の方向にスイング動作を行うと共に人体が検知されていない時には中央に固定される。また、風量羽根（１１）は、赤外線センサ（１５）の検知情報に基づき、人体が検知された時には風量が増加するように調節されると共に人体が検知されていない時には風量が減少するように調節される。
【００９９】
暖房運転時において、水平羽根（１３）は、天井汚れ防止モードに設定されてスイング動作を行う。垂直羽根（１２）は、赤外線センサ（１５）の検知情報に基づき、人体が検知された時には人体を避けた位置に固定されると共に人体が検知されていない時には小スイング動作を行う。また、風量羽根（１１）は、赤外線センサ（１５）の検知情報に基づき、人体が検知された時には風量が減少するように調節されると共に人体が検知されていない時には風量が増加するように調節される。
【０１００】
上記第６パターンでは、赤外線センサ（１５）が人体の位置を検出するモードが、短時間モードとなる。これは、人が立った状態で店内を移動するため、短時間に人体の位置を検出できるようにするためである。
【０１０１】
また、第６パターンにおける空調対象空間の内部負荷について、赤外線センサ（１５）が検出する輻射温度のうち人体に近い温度を有する部位（例えばテレビやパソコンのディスプレイ等）に対しては、人体と区別するのが困難であるため、その方向に気流を向けないように制御される。また、赤外線センサ（１５）が検出する輻射温度のうち低温部についてはショーケースと見なし、その方向に気流を向けないように制御されると共に、高温部については暖房機器と見なし、負荷を処理するためにその方向に気流を向けるように制御される。
【０１０２】
−実施形態１の効果−
本実施形態の空気調和装置では、記憶手段（５３）が室内機（Ｚ１）の設置条件に対応した吹出空気の複数の気流制御パターンを記憶している。このため、記憶手段（５３）が記憶する気流調節手段（５２）を制御するための複数の気流制御パターンのうちの何れか１つを設定手段（５４）を用いて選択することにより、室内機（Ｚ１）の設置条件に確実に対応した気流制御を行うことができる。
【０１０３】
従って、本実施形態によれば、異なる設置条件においても、設定手段（５４）により設置条件を選択するだけでよく、設置条件に確実に対応した気流制御パターンを容易に設定することができる。また、設置条件に最適な気流に設定されるので、室内の快適性を確保することができると共に、無駄な消費電力を発生させることなく省エネルギー性を高めることができる。
【０１０４】
また、本実施形態によれば、気流調節手段（５２）が備える第１の羽根（１３）と第２の羽根（１２）を調節することにより、吹出空気の上下方向に加えて幅方向の気流制御も行うことができる。このため、室内空間において、気流の方向をきめ細かく調節することができる。また、気流調節手段（５２）が備える第３の羽根（１１）を用いて風量を調節することにより、気流吹出方向に対する風量のニーズに確実に対応することができる。
【０１０５】
また、本実施形態によれば、赤外線センサ（１５）が検出する輻射温度に基づいて気流を調節する気流制御パターンを設けることにより、室内空間の輻射温度に対応させてより細かく気流を制御することができる。つまり、室内の負荷レベルに応じて、確実に気流を制御することができる。特に、室内空間における人体の存在の有無を検知することにより、人体が存在する部分と存在しない部分における気流の差別化を図ることができる。また、室内の快適性を一層高めることができると共に、無駄な消費電力を発生させることなく一層省エネルギー性を高めることができる。
【０１０６】
更に、本実施形態によれば、設定手段（５４）が室内機（Ｚ１）に連繋されたリモコン（４０）又はパソコンに設けられており、室内機（Ｚ１）の設置条件に対応する気流制御パターンをリモコン（４０）又はパソコンにより容易に設定することができる。
【０１０７】
【発明の実施の形態２】
本発明の実施形態２は、上記実施形態１の空気調和装置において、室内機（Ｚ１）の本体（６０）に赤外線センサ（１５）が取り付けられていないものである。ここでは、上記実施形態１と異なる点を説明する。
【０１０８】
本実施形態の空気調和装置では、本体（６０）における室内パネル（２）の吸込口（３）に、室内空気の吸込温度を検知する吸込温度センサが設けられている。この吸込温度センサが検知した吸込温度に関する情報は、制御部（１８）へ送られる。制御部（１８）では、吸込温度に関する情報が記憶手段（５３）に記憶される。記憶手段（５３）の気流制御パターンでは、この吸込温度に関する情報に基づき制御パターンが構成される。尚、吸込温度センサについては、図示を省略する。
【０１０９】
また、本実施形態の記憶手段（５３）には、気流調節手段（５２）である水平羽根（１３）と垂直羽根（１２）と風量羽根（１１）のうち、水平羽根（１３）と垂直羽根（１２）の動作を自動的に制御し、風量羽根（１１）の制御をマニュアル設定で行う気流制御パターンが記憶されている。
【０１１０】
上記本体（６０）に連繋されたリモコン（４０）には、各吹出口（４）から吹き出される空気の風量を調節するための風量ボタンが設けられている。この風量ボタンには、吹出風量を数段階の中から選択して調節できる機能が設けられている。尚、風量ボタンについては、図示を省略する。
【０１１１】
上記記憶手段（５３）には、水平羽根（１３）の制御モードとして、標準モードとドラフト防止モードと天井汚れ防止モードとが記憶されている。この標準モードでは、天井（５０）を水平面として３０〜６５度の範囲で水平羽根（１３）の角度が調節される。ドラフト防止モードでは、天井（５０）を水平面として３０〜５５度の範囲で水平羽根（１３）の角度が調節される。天井汚れ防止モードでは、天井（５０）を水平面として４０〜６５度の範囲で水平羽根（１３）の角度が調節される。
【０１１２】
また、上記記憶手段（５３）には、標準モード及びドラフト防止モードについて水平羽根（１３）の角度を一定に固定する固定モードと、天井汚れ防止モードについて作動範囲を一定の速度で往復し続けるスイングモードとが記憶されている。
【０１１３】
上記記憶手段（５３）には、上記垂直羽根（１２）の制御モードとして、垂直羽根（１２）を一定の角度に固定する固定モード及び作動範囲を一定の速度で往復し続けるスイングモードが記憶されている。
【０１１４】
また、上記記憶手段（５３）には、吸込温度センサの検知情報に基づき、吸込口（３）の吸込温度が所定温度（例えば２６度）よりも高い場合には垂直羽根（１２）をスイングさせると共に吸込口（３）の吸込温度が所定温度よりも低い場合には垂直羽根（１２）を一定の角度に固定するモードが記憶されている。
【０１１５】
−運転動作−
上記空気調和装置の運転動作について説明する。
【０１１６】
まず、室内機（Ｚ１）の本体（６０）に連繋されたリモコン（４０）に設けられる運転ボタン（４１ｂ）を押すと、空気調和装置の運転が開始される。次に、リモコン（４０）に設けられる運転切換ボタン（４２ｇ）により、冷房運転或いは暖房運転のどちらかを選択する。
【０１１７】
更に、リモコン（４０）に設けられる室内機（Ｚ１）の設置条件が示された６種類のボタン（４２ａ，４２ｂ，…）のうちの１つを押すと、この情報である選択信号が制御部（１８）へ送信され、制御部（１８）では、記憶手段（５３）が記憶する６種類の気流制御パターンの中から選択したボタンに対応する制御パターンが設定される。そして、制御部（１８）は、この気流制御パターンにより水平羽根（１３）と垂直羽根（１２）とを自動的に制御する。一方、風量羽根（１１）については、リモコン（４０）の風量ボタンを押すことにより、設定した風量が各吹出口（４）から供給される。
【０１１８】
（第１パターン）
冷房運転時には、水平羽根（１３）は、ドラフト防止モードに設定されてその角度が３０度に固定される。垂直羽根（１２）は、吸込温度センサの検知情報に基づき、吸込口（３）の吸込温度が所定温度よりも高い場合には全方向にスイング動作を行うと共に吸込口（３）の吸込温度が所定温度よりも低い場合には中央に固定される。一方、暖房運転時において、水平羽根（１３）は、ドラフト防止モードに設定されてその角度が３０度に固定される。垂直羽根（１２）は、吸込温度センサの検知情報に基づき、吸込口（３）の吸込温度が所定温度よりも高い場合には全方向にスイング動作を行うと共に吸込口（３）の吸込温度が所定温度よりも低い場合には中央に固定される。
【０１１９】
（第２パターン）
冷房運転時には、水平羽根（１３）は、ドラフト防止モードに設定されてその角度が３０度に固定される。垂直羽根（１２）は、吸込温度センサの検知情報に基づき、吸込口（３）の吸込温度が所定温度よりも高い場合には全方向にスイング動作を行うと共に吸込口（３）の吸込温度が所定温度よりも低い場合には中央に固定される。一方、冷房運転時において、水平羽根（１３）は、ドラフト防止モードに設定されてその角度が３０度に固定される。垂直羽根（１２）は、吸込温度センサの検知情報に基づき、吸込口（３）の吸込温度が所定温度よりも高い場合には全方向にスイング動作を行うと共に吸込口（３）の吸込温度が所定温度よりも低い場合には中央に固定される。
【０１２０】
（第３パターン）
冷房運転時には、水平羽根（１３）は、天井汚れ防止モードに設定されてスイング動作を行う。垂直羽根（１２）は、全方向にスイング動作を行う。一方、暖房運転時において、水平羽根（１３）は、ドラフト防止モードに設定されてその角度が３０度に固定される。垂直羽根（１２）は、吸込温度センサの検知情報に基づき、吸込口（３）の吸込温度が所定温度よりも高い場合には全方向にスイング動作を行うと共に吸込口（３）の吸込温度が所定温度よりも低い場合には中央に固定される。
【０１２１】
（第４パターン）
冷房運転時には、水平羽根（１３）は、天井汚れ防止モードに設定されてスイング動作を行う。垂直羽根（１２）は、全方向にスイング動作を行う。一方、暖房運転時において、水平羽根（１３）は、ドラフト防止モードに設定されてその角度が３０度に固定される。垂直羽根（１２）は、全方向にスイング動作を行う。
【０１２２】
（第５パターン）
冷房運転時には、水平羽根（１３）は、標準モードに設定されてその角度が３０度に固定される。垂直羽根（１２）は、中央に固定される。一方、暖房運転時において、水平羽根（１３）は、標準モードに設定されてその角度が３０度に固定される。垂直羽根（１２）は、中央に固定される。
【０１２３】
（第６パターン）
冷房運転時には、水平羽根（１３）は、天井汚れ防止モードに設定されてスイング動作を行う。垂直羽根（１２）は、吸込温度センサの検知情報に基づき、吸込口（３）の吸込温度が所定温度よりも高い場合には全方向にスイング動作を行うと共に吸込口（３）の吸込温度が所定温度よりも低い場合には中央に固定される。一方、暖房運転時において、水平羽根（１３）は、天井汚れ防止モードに設定されてスイング動作を行う。垂直羽根（１２）は、吸込温度センサの検知情報に基づき、吸込口（３）の吸込温度が所定温度よりも高い場合には全方向にスイング動作を行うと共に吸込口（３）の吸込温度が所定温度よりも低い場合には中央に固定される。
【０１２４】
【発明の実施の形態３】
上記実施形態１及び２の空気調和装置について、記憶手段（５３）には、本体（６０）の室内パネル（２）に設けられる４つの吹出口（４）のうち特定の吹出口（４）からの吹出空気のみ気流調節する気流制御パターンを設けてもよい。
【０１２５】
上記気流制御パターンを設けることにより、４つの吹出口（４）のうち特定の吹出口（４）からの気流がマニュアル設定により調節され、残りの３つの吹出口（４）を用いて赤外線センサ（１５）の検知情報に基づき自動的に気流制御が行われる。
【０１２６】
具体的に、本体（６０）に連繋されたリモコン（４０）には、４つの吹出口（４）のうち何れか１つの吹出口（４）を特定するボタンが設けられている。また、リモコン（４０）には、特定した吹出口（４）からの吹出空気の風向及び風量を調節するボタンが設けられている。尚、この２つのボタンについては、図示を省略する。
【０１２７】
そして、気流を調節したい１カ所の吹出口（４）を特定すると、その情報が制御部（１８）に送信され、記憶手段（５３）は、残りの３つの吹出口（４）を用いて気流を制御するような気流制御パターンを構成する。また、特定の吹出口（４）においては、リモコン（４０）を用いてマニュアル設定により吹出口（４）からの風向及び風量が調節される。
【０１２８】
以下、本実施形態の気流制御パターンを用いて室内機（Ｚ１）の設置条件に対応する第１〜第６パターンを構成した場合における使用例について説明する。
【０１２９】
第１パターンでは、自分の席が決まっていて個人的に使用する場合等に、気流を変更したい吹出口（４）を指定して吹出方向及び風量を自由に変更することができる。
【０１３０】
第２パターンでは、吹出口（４）からの気流が壁や窓側に跳ね返ってタバコの灰が拡散したり書類が飛散したりする場合に、窓側や壁側に位置する吹出口（４）を指定して吹出方向及び風量を自由に変更することができる。
【０１３１】
第３パターンでは、吹出口（４）からの気流が壁や窓側に跳ね返ってタバコの灰が飛散したり書類が飛散したりする場合及び厨房の温度を優先的に変更したい場合に、窓側や壁側、厨房側に位置する吹出口（４）を指定して吹出方向及び風量を自由に変更することができる。
【０１３２】
第４パターンでは、店内が狭いと共に様々なレイアウトが存在し、また柱や仕切りなどの障害物が多いため、これに対応して指定された吹出口（４）における吹出方向及び風量を自由に変更することができる。
【０１３３】
第５及び第６パターンでは、従業員のいるカウンターへ空調を行う場合や、ショーケースへの気流を避けたい場合に、これに対応して指定された吹出口（４）における吹出方向及び風量を自由に変更することができる。
【０１３４】
本実施形態によれば、特定の吹出口（４）のみ気流調節する気流制御パターンを設けることにより、特定の吹出口（４）のみマニュアル設定で気流を調節することができる。例えば、特定の吹出口（４）の方向に障害物が存在する場合など、この気流制御パターンを使用することにより、確実に気流を制御することができる。従って、本実施形態によれば、異なる設置条件において、使用者のニーズに確実に対応した空気調和装置を提供することができ、室内の快適性及び省エネルギー性をより一層高めることができる。
【０１３５】
【発明のその他の実施形態】
−第１変形例−
上記実施形態１〜３の空気調和装置において、リモコン（４０）では、室内機（Ｚ１）の設置条件を示す６種類のボタン（４２ａ，４２ｂ，…）のそれぞれに１〜６の数字を記すようにしたが、これに限らず絵文字を記してもよいし、具体的な店舗形態（例えば、第１ボタンにはオフィス、会議室等）を記してもよい。
【０１３６】
−第２変形例−
上記実施形態１〜３の空気調和装置では、室内機（Ｚ１）の設置条件に対応した吹出空気の気流制御パターンを６種類設けたが、この気流制御パターンは５種類以下であってもよく、逆に７種類以上であってもよい。これに対応して、リモコン（４０）には、気流制御パターンの種類と等しい数の室内機（Ｚ１）の設置条件を示すボタンが設けられる。
【０１３７】
−第３変形例−
上記実施形態１〜３の空気調和装置において、気流制御パターンを選択して設定するための設定手段（５４）を設ける場所を変更してもよい。
【０１３８】
具体的に、上記設定手段（５４）は、室内機（Ｚ１）の本体（６０）に設けられていてもよい。つまり、本体（６０）には、室内機（Ｚ１）設置条件が示された６種類のボタンが設けられる。また、上記設定手段（５４）は、室内機（Ｚ１）に連繋されたパソコンに設けられてもよい。つまり、パソコンは、気流制御パターンの選択信号を室内機（Ｚ１）に出力可能に構成され、パソコンで室内機（Ｚ１）の複数の設置条件のうちの１つを選択することで、遠隔操作により吹出空気の気流制御パターンを設定する。
【０１３９】
【発明の効果】
本発明の空気調和装置では、記憶手段（５３）が室内機（Ｚ１）の設置条件に対応した吹出空気の複数の気流制御パターンを記憶している。このため、記憶手段（５３）が記憶する気流調節手段（５２）を制御するための複数の気流制御パターンのうちの何れか１つを設定手段（５４）を用いて選択することにより、室内機（Ｚ１）の設置条件に確実に対応した気流制御を行うことができる。従って、本発明によれば、異なる設置条件においても、設定手段（５４）により設置条件を選択するだけでよく、設置条件に確実に対応した気流制御パターンを容易に設定することができる。また、設置条件に最適な気流に設定されるので、室内の快適性を確保することができると共に、無駄な消費電力を発生させることなく省エネルギー性を高めることができる。
【０１４０】
請求項２の発明によれば、気流調節手段（５２）が備える第１の羽根（１３）と第２の羽根（１２）を調節することにより、上下方向に加えて幅方向の気流制御を行うことができる。このため、室内空間において、気流の方向をきめ細かく調節することができる。また、気流調節手段（５２）が備える第３の羽根（１１）を用いて風量を調節することにより、気流吹出方向に対する風量のニーズに確実に対応することができる。
【０１４１】
請求項３の発明によれば、赤外線センサ（１５）が検出する輻射温度に基づいて気流を調節する気流制御パターンを設けることにより、室内空間の輻射温度に対応させてより細かく気流を制御することができる。つまり、室内の負荷レベルに応じて、確実に気流を制御することができる。特に、室内空間における人体の存在の有無を検知することにより、人体が存在する部分と存在しない部分における気流の差別化を図ることができる。また、室内の快適性を一層高めることができると共に、無駄な消費電力を発生させることなく一層省エネルギー性を高めることができる。
【０１４２】
請求項４の発明によれば、特定の吹出口（４）のみ気流調節する気流制御パターンを設けることにより、特定の吹出口（４）のみマニュアル設定で気流を調節することができる。例えば、特定の吹出口（４）の方向に障害物が存在する場合など、この気流制御パターンを使用することにより、確実に気流を制御することができる。従って、本発明によれば、異なる設置条件において、使用者のニーズに確実に対応した空気調和装置を提供することができ、室内の快適性及び省エネルギー性をより一層高めることができる。
【０１４３】
請求項５の発明によれば、設定手段（５４）が室内機（Ｚ１）に連繋されたリモコン（４０）又はパソコンに設けられており、室内機（Ｚ１）の設置条件に対応する気流制御パターンをリモコン（４０）又はパソコンにより容易に設定することができる。
【図面の簡単な説明】
【図１】実施形態１に係る空気調和装置について、室内機本体を室内側から見た斜視図である。
【図２】図１に示す室内機本体の要部拡大図である。
【図３】実施形態１に係る空気調和装置について、室内機本体の吹出口に設けられる風量分配機構の構造を表す図である。
【図４】図３におけるＩＶ−ＩＶ矢視図である。
【図５】実施形態１に係る空気調和装置について、室内機本体の吹出口に設けられる水平羽根の第１の駆動方式を表す図である。
【図６】実施形態１に係る空気調和装置について、室内機本体の吹出口に設けられる水平羽根の第２の駆動方式を表す図である。
【図７】実施形態１に係る空気調和装置について、温度均一化モードにおける空調状態を表す図である。
【図８】実施形態１に係る空気調和装置について、スポットモードにおける空調状態を表す図である。
【図９】実施形態１に係る空気調和装置について、リモコンの概略構成図である。
【符号の説明】
（３）    吸込口
（４）    吹出口
（１１）  第３の羽根
（１２）  第２の羽根
（１３）    第１の羽根
（１５）  赤外線センサ
（４０）  リモコン
（５２）  気流調節手段
（５３）  記憶手段
（５４）  設定手段
（６０）  本体
（Ｚ１）  室内機
【図１】
2005016863.tif 000003
【図２】
2005016863.tif 000004
【図３】
2005016863.tif 000005
【図４】
2005016863.tif 000006
【図５】
2005016863.tif 000007
【図６】
2005016863.tif 000008
【図７】
2005016863.tif 000009
【図８】
2005016863.tif 000010
【図９】
2005016863.tif 000011